(57)【要約】  本発明は、ヒンジ（３）によって枢動可能にクロージャ（１）に形成されたカバーキャップ（２）を有するクロージャ（１）に関する。返し（１２、２７）はクロージャ（１）およびカバーキャップ（２）の側面に成形されており、カバーキャップ（２）が枢動式に閉鎖されると、返しは閉鎖方向に対して横方向に外向きに偏向し、これによりカバーキャップ（２）が膨らむ。このプロセスでは、返し（１２）がクロージャ（１）の外縁を越えて押し込まれ、カバーキャップが弾性的に元の形状とサイズに戻る結果、締まる。次に、カバーキャップ（２）がクロージャ（１）にしっかりとシール固定される。カバーキャップ（２）の縁部（１１）は、カバーキャップの前部領域のクロージャ（１）の段差（９）にある。縁部（９）は、ヒンジ（３）の方向に前部領域を押すことにより、前記段差（９）の平面上で移動することができる。これにより、カバーキャップ（２）の側縁（１０）が両側で膨らみ、カバーキャップ（２）の返し（２６）がクロージャ（１）の返し（１２）から外れる。次に、カバーキャップの前部に圧力をかけている間にカバーキャップ（１０）をヒンジ（３）を中心として枢動式に開くことができ、圧力が解放されるとカバーキャップは弾性的に元のサイズと形状に戻る。【選択図】図８、図９
2020517533.tif 000002
【特許請求の範囲】
【請求項１】
ヒンジ（３）によってクロージャ（１）に枢動可能に成形され、閉鎖時に少なくとも２点で前記クロージャ（１）に着脱可能に把持または係合するカバーキャップ（２）を備えたクロージャ（１）であって、前記カバーキャップ（２）が単一のロック解除および押圧点（１７）のみにおける圧力により変形可能であるため、前記把持がこの変形により着脱可能であり、圧力が続くと、前記カバーキャップ（２）が片手で把持手段を超えて枢動式に開くことができることを特徴とする、カバーキャップ（２）を備えたクロージャ（１）。
【請求項２】
前記クロージャ（１）および前記カバーキャップ（２）の側面に、前記カバーキャップ（２）を閉じたときに互いに把持する把持手段として返し（１２、２７）が一体的に形成され、前記単一のロック解除および押圧点（１７）に圧力をかけると、前記カバーキャップ（２）の前記側面と前記ヒンジの反対側の側壁とが外側に向かって膨らむことができ、それにより把持が着脱可能であることを特徴とする、請求項１に記載のカバーキャップ（２）を備えたクロージャ（１）。
【請求項３】
前記クロージャ（１）および前記カバーキャップ（２）の両方の対向側に、返し（１２、２７）または凹部が把持手段として一体的に形成され、前記カバーキャップ（２）を閉じたとき、前記カバーキャップ（２）が閉鎖方向に対して横方向に膨らむときに前記カバーキャップ（２）の前記返し（２７）が外側に曲がり、前記クロージャ（１）の前記返し（１２）または凹部の上を摺動可能となるので、前記把持手段が互いに把持し、この後は前記膨らみの弾性反転を介してこれらの前記返し（１２）または凹部に係合し、それによって前記カバーキャップ（２）がシールされた確実な方法で前記クロージャ（１）に取り付けられ、前記カバーキャップ（２）の前記ロック解除および押圧点（１７）の上部への圧力によって、前記カバーキャップ（２）の前記側壁が膨らむことができ、前記把持または捕捉が着脱可能であることを特徴とする、請求項の１または２のいずれか一項に記載のカバーキャップ（２）を備えたクロージャ（１）。
【請求項４】
前記カバーキャップ（２）が、その前部領域を使用して、その縁部（１１）で前記クロージャ（１）上の段差（９）に載り、この縁部（９）が、ロック解除および押圧点（１７）として設計された押しボタン（４）を前記ヒンジ（３）の方向に押すことにより、前記段差（９）の平面上で摺動可能であり、これによりカバーキャップ（２）の前記側縁（１０）の両側に十分な膨らみを生成することができ、これにより前記カバーキャップ（２）の前記返し（２６）が前記クロージャ（１）の前記これら（１２）から外すことができ、前記カバーキャップ（１０）が、前記圧力を解放した後、前記膨らみの弾性反転の下で、前記ヒンジ（２）を中心として枢動式に開くことができることを特徴とする、請求項の１から３のいずれか一項に記載のカバーキャップ（２）を備えたクロージャ（１）。
【請求項５】
前記カバーキャップ（２）が一体的に設計されており、前記ロックおよび開放機能が、前記クロージャの形状と相まって材料の弾性のみに基づいていることを特徴とする、請求項１に記載のカバーキャップ（２）を備えたクロージャ（１）。
【請求項６】
前記カバーキャップ（２）が、前記ロック解除および押圧点（１７）にセンタリングガイド（２９）を有し、これにより前記ロック解除および押圧点（１７）に対称的にのみ圧力をかけることができ、これにより前記ロックの片側のみを解放する斜めの押圧と膨らみを回避できることを特徴とする、請求項１に記載のカバーキャップ（２）を備えたクロージャ（１）。
【請求項７】
前記センタリングガイド（２９）が、前記クロージャ（１）のＶ字型断面によってセンタリング溝（３１）に押し込むことができる、前記押圧点（１７）の後ろに一体的に形成されたリブ（３０）からなることを特徴とする、請求項６に記載のカバーキャップ（２）を備えたクロージャ（１）。
【発明の詳細な説明】
【技術分野】
【０００１】
本発明は、カバーキャップを備えたクロージャに関する。
【背景技術】
【０００２】
このようなクロージャは、オイルキャニスタなどのキャニスタ、液体洗剤やその他の多くの液体や自由流動性の製品用のキャニスタやプラスチックボトルなどの容器のネックにねじ止めされている。ネックにねじ止めされたクロージャは注ぎ口を形成し、関連するカバーキャップを枢動式に開いた後、液体または自由流動性の製品の均一な噴出を制御された方法で注ぎ出すか、または分配することができる。プラスチック製のクロージャの場合、このようなクロージャのカバーキャップは、ヒンジによってクロージャに保持される。ヒンジは、枢動式に開いたカバーフラップを開いた状態で保持するように設計できる。カバーキャップを下に枢動させるときは、ヒンジの最大張力を超えて枢動させる必要があり、その後、カバーキャップが下に枢動し、カバーフラップの上からの圧力によって、閉位置に枢動して閉鎖するための最後の数度の角度が克服される。カバーキャップの内側に返し、リブ、または溝があり、これらはクロージャの返し、リブ、または溝と相互作用し、カバーキャップは閉位置でクロージャと係合し、クロージャを保持する。
【０００３】
カバーキャップは、キャニスタまたは容器が使用されていないときに何かがクロージャから容器に落ちるのを防ぐ一方で、内容物が誤ってこぼれるのを防ぐように機能する、つまりクロージャはしっかりと閉鎖される。そのようなクロージャの何百万もの例が、それぞれのキャニスタと容器に存在する。
【０００４】
しかし、地面に落ちたときに受ける衝撃はクロージャとの緊密な把持の解放につながるため、これらの従来のクロージャとそれぞれのカバーキャップには、容器またはボトルが倒れるとカバーキャップが跳ねて開いてしまうという欠点がある。返し、リブ、または溝は、カバーキャップを閉じたときに容易に曲がり、したがって互いに入れ違うことができ、その後互いに引っ掛かるように設計されている。解放するには、カバーキャップを枢動式に開くためのより強い張力によって把持を克服する。このようなカバーキャップの多くは、比較的弱い把持力でクロージャに保持されているか、反対に極端に強く把持しすぎているため、少なくとも手の力が限られている人にはカバーキャップを開けることが困難である。多くの既知のカバーキャップのさらなる欠点は幼児が簡単に開けることができることで、これは、幼児がそれらのボトルから飲んだり、内容物をこぼしたりしないように防止するのが好ましい。
【発明の概要】
【０００５】
したがって、本発明の目的は、カバーキャップを前記クロージャ上で枢動式に閉鎖したときにクロージャと容易に係合し、その後、閉位置でクロージャにしっかりと保持され、これにより、このクロージャを備えた容器を倒したり、床に落としたりしてもカバーキャップが開くことがなく、十分な力での単なる枢動動作では片手で開けることができない、カバーキャップを備えたクロージャを提供することである。
【０００６】
この目的は、ヒンジによってクロージャ上に枢動可能に成形され、枢動式に閉鎖したときに少なくとも２点でクロージャを着脱可能に把持または係合するカバーキャップを備えたクロージャによって達成され、カバーキャップは単一の点のみにおける圧力により変形可能であるため、把持はこの変形により着脱可能であり、圧力が続くと、カバーキャップは、片手で把持手段を超えて枢動式に開くことができることを特徴とする。
【０００７】
図面では、カバーキャップを備えたそのようなクロージャの例示的な実施形態が示されており、その説明は以下にあり、その機能が説明されている。
【図面の簡単な説明】
【０００８】
【図１】カバーキャップを閉鎖した状態のクロージャを示す。
【図２】下から斜めに見た、カバーキャップを閉鎖した状態のクロージャを示す。
【図３】カバーキャップがわずかに枢動式に開き、返しの把持が解放された状態のクロージャを示す。
【図４】下から斜めに見た、カバーキャップがわずかに枢動式に開き、返しの把持が解放された状態のクロージャを示す。
【図５】カバーキャップが１８０°枢動式に開いた状態のクロージャを示す。
【図６】下から斜めに見た、カバーキャップが１８０°枢動式に開いた状態のクロージャを示す。
【図７】カバーキャップが１８０°枢動して開いた状態のクロージャの平面図を示す。
【図８】カバーキャップがわずかに枢動式に開いた状態のクロージャを中央縦断面で示す。
【図９】カバーおよびクロージャの概略上面図を水平断面で示す。
【図１０】センタリング装置を備えた、カバーおよびクロージャの概略上面図を水平断面で示す。
【図１１】センタリング装置を閉鎖した状態の図１０のカバーおよびクロージャの概略図を示す。
【発明を実施するための形態】
【０００９】
キャップとカバーキャップとの間で、カバーキャップをクロージャに閉めるときに、これらの２つ以上の部品が互いに係合するか、または把持するように、係合または把持手段が作用する。係合または把持手段は、例えば、互いに引っ掛かる返しによって実現できる。カバーキャップを閉じる際、カバーキャップの壁が外側に向かって弾性的に曲がるため、カバーキャップの内壁に一体的に形成された返しがクロージャの外側にある返しの上または凹部内へ摺動し、返しは凹部内で互いに係合または把持し合い、しっかりした把持接続を形成する。返しの代わりに、嵌まり合う形状要素が一体的に形成されてもよい。カバーキャップを備えた従来のクロージャでは、カバーキャップをクロージャへわずかに押すだけで閉位置に保持できるため、力をほとんどかけずにこの固定を克服し、カバーキャップを枢動式に開けることができる。より強力な把持接続が必要な場合、カバーキャップを開くためにこれを再度解除する方法が問題になる。
【００１０】
図１は、カバーキャップを閉鎖した状態の本発明によるクロージャの例示的な実施形態を、上からの角度での斜視図で示す。クロージャ１は下にあり、カバーキャップ２は上にあり、枢動式に開く。ヒンジ３は、既知の方法で後側に配置されている。特別な特徴として、カバーキャップ２はその前面に突出押しボタン４を形成し、これは、押しボタン４のそれぞれの前側壁とともにヒンジ３の方向に幾分弾性的に押すことができる。
【００１１】
図２は下から斜めに見た、カバーキャップ２を閉鎖した状態のクロージャを示す。この図では、クロージャ１の内側に形成されたスリーブ５が、その雌ねじ６とともに見える。したがって、クロージャは、容器またはボトルのねじ付きネックにねじ込むことができる。上部において、スリーブ５は、注ぐまたは分配する穴７として機能する中央の穴を除いて、ディスク８によって閉鎖されている。ヒンジ３は、クロージャ１およびそのカバーキャップ２の後端で見ることができ、当該ヒンジは、２つの部品１、２およびそれぞれの２つの締付バンド２５を、当技術分野で既知の方法によって一体的に接続する。
【００１２】
図３は、カバーキャップ２がわずかに枢動式に開き、返しの把持が解放された状態のクロージャ１を示す。クロージャ１の両側に段差９が形成され、前記段差の上に、カバーキャップ２をその周囲側壁１０と共に正確に引き込むことができるので、側壁１０の下縁１１がこの段差９にしっかりと載る。凹部１２が段差９の上方に形成され、前記凹部は上部に鋭い角１３を有する。傾斜面を備えた返しがクロージャ１の上部外縁１４を摺動するとき側壁１０が外側に向かって移行または弾性的に曲がることができるので、側壁１０の内側の返し（ここでは見えない）は、注ぎクロージャ１の両側のこれらの凹部１２に係合できる。クロージャ１の前部に凹部１６があり、これは他の外側１５から後退している。これは、カバーキャップ２の前部に、ここでは楕円形の押しボタン４の形態のロック解除および押圧点１７を形成し、その下半分は自由なディスクとして凹部１６に嵌まり、一方、押しボタン４の上半分は、カバーキャップ２の側壁１０で補強され、それに接続されている。この図３に見られるように、段差９は、クロージャ１の前部領域１８で広がっている。カバーキャップ２の側壁１０の下縁１１が段差９にしっかりと載り、クロージャ１の外壁と同一平面にある場合、カバーキャップの側壁は、押しボタン４の圧力によってこの広がった段差９で内側に摺動できる。その結果、カバーキャップ２の２つの側壁１０が横方向に膨らみ、カバーキャップの内側に一体的に形成された返しがクロージャ１の凹部１２から出て、把持が解放される。カバーキャップ２は、この状態でヒンジ３を中心に枢動することができる。
【００１３】
図４は、下から斜めに見た、カバーキャップ２がわずかに枢動式に開き、返しの把持が解放された状態のクロージャ１を示す。カバーキャップ２の底部に一体的に形成されたネック１９を見ることができる。前記ネックは、クロージャ１の底部のスリーブ５よりもわずかに小さい直径を有し、ここに示すように、ゴム製Ｏリングの形態の円周ゴムシール２０を備えることができる。補強リブ２１は、カバーキャップ２の内部でネック１９の安定性を支持する。
【００１４】
露出したクロージャの上側の図を示し、カバーキャップ２の内側の図を可能にする図５に基づくと、このネック１９の重要性および効果が明らかである。クロージャ１は平坦な表面２３を形成し、その中に凹部２４が形成され、その周囲壁２２は、下に一体的に形成されたスリーブ５の中に突出する。凹部２４は、図２に示すように、ディスク８によって形成された底部を有する。このディスク８の中央には、注ぎ穴７がある。カバーキャップ２がヒンジ３を中心としてクロージャ１上を枢動すると、ネック１９はクロージャ１の凹部２４に入り込み、そのシール２０が円周壁２２にシール当接する。これにより、カバーキャップ２が閉鎖されてクロージャと係合したときにクロージャ１の非常に良好なシールが達成される。
【００１５】
図６は、下から斜めに見た、カバーキャップ２が１８０°枢動式に開いた状態のクロージャ１を示し、図７は、それを平面図で上から示している。シール２０を備えたネック１９は、凹部２４の内部に嵌まる。ネック１９に外部当接シール２０が装備される代わりに、凹部２４の円周壁２２もシールを支持し得る。この図では、ヒンジ３の両側に締付バンド２５が見られる。これらの締付バンド２５は、クロージャ１全体およびそのカバーキャップ２のわずかな変形によって、カバーキャップ２が最大張力を超えて閉鎖され、再び枢動して開くことができることを保証する。これにより、カバーキャップ２が開いたままになる。
【００１６】
図８は、カバーキャップ２がわずかに枢動式に開いた状態のクロージャ１を中央縦断面で示す。この図では、返し２６の１つがカバーキャップ２の側壁１０の内側に見られる。これらは、断面がくさび形で、上部に向かって幅と厚さが連続的に増加し、上部で内側に対して鋭い縁部２７を形成する要素である。
【００１７】
閉鎖状態から始まるこのクロージャの動作は、図９に最もよく概略的に示されている。親指でロック解除の前面、およびここでは太い矢印で示すように、押しボタンの形態で設計されている押圧点１７を押すのが最善である。ロック解除および押圧点１７は、図１０に示すように、センタリング手段２９によって作動されたときに傾斜が確実に防止されるように形成されてもよい。センタリング手段は、押しボタンの後ろにあるリブ３０で構成され、リブ３０は、押されると、クロージャのＶ字型断面のセンタリング溝３１に押し込まれ、ロック解除および押圧点１７をセンタリングし、これによりカバーキャップ２の側壁１０は、図１１の２つの小さな矢印によって示すように対称的に外側に膨らみ、両方の返し２６は、内側の凹部１２から均一に追い出される。押しボタン４またはロック解除および押圧点１７を押し続けると、同時にカバーキャップ２を上方に枢動させることができる。ただし、上部に十分な圧力をかけてカバーキャップ２を閉じるだけで閉鎖される。したがって、傾斜面２８を備えた返しは、円周段差の外縁上を摺動してクロージャ１を通過し、下の凹部１２に係合し、ここで各返し２６の鋭い縁部２７は、クロージャのそれぞれの凹部１２の鋭い角１３と係合する。
【００１８】
クロージャは常に、片手で行える２つの動作を使用して開かれる、つまり、最初に単一のロック解除および押圧点１７、つまり単一の押しボタン４を押し、同時にカバーキャップ２を枢動式に開く。これは両手で行うことができるが、片手だけで実行することもできる。これは幼児にとって難しい。さらに、このカバーキャップ２は、容器が転倒したり、例えばテーブルから床へと落下したりしても、クロージャ１にしっかりと固定されたままである。その結果、そのような場合でもクロージャは閉まったままである。
【符号の説明】
【００１９】
１  クロージャ
２  カバーキャップ
３  ヒンジ
４  押しボタン
５  スリーブ
６  雌ねじ
７  注ぎ穴
８  ディスク
９  段差
１０  側壁
１１  側壁１０の下縁
１２  凹部
１３  鋭い角
１４  上部外縁
１５  後退凹部１６の外側
１６  後退凹部
１７  ロック解除および押圧点
１９  ネック
２０  ゴムシール
２１  補強リブ
２２  円周壁
２３  水平面
２４  凹部
２５  締付バンド
２６  返し
２７  鋭いリムまたは縁部
２８  傾斜面
２９  センタリング手段
３０  センタリングリブ
３１  センタリングリブ用受容溝
【図１】
2020517533.tif 000003
【図２】
2020517533.tif 000004
【図３】
2020517533.tif 000005
【図４】
2020517533.tif 000006
【図５】
2020517533.tif 000007
【図６】
2020517533.tif 000008
【図７】
2020517533.tif 000009
【図８】
2020517533.tif 000010
【図９】
2020517533.tif 000011
【図１０】
2020517533.tif 000012
【図１１】
2020517533.tif 000013
【国際調査報告】
2020517533.tif 000014
2020517533.tif 000015
2020517533.tif 000016
2020517533.tif 000017